(57)【要約】【課題】横向きに寝ていても耳部分を痛めることなく、また長期間の使用においても安定した高さを維持して安眠できる枕部材及び枕を提供すること。【解決手段】枕１０を、枕部材５を収納する袋部１１と、各袋部１１間を連結する連結部１２から構成する。枕部材５は、表側生地部と、裏側生地部と、表側生地部と裏側生地部の間に介在する仕切り布とから袋状に構成する。表側生地部及び裏側生地部の両端部に第１の縫合部位を配置し、仕切り布の両端部に第２の縫合部位を配置する。第２の縫合部位間の長さを第１の縫合部位間の長さより短くして、第１の縫合部位と第２の縫合部位とを重ねた位置で、表側生地部と裏側生地部及び仕切り布を縫合する。これにより表側生地部と裏側生地部とは弛みを有することになり他の端部を縫合することによって袋状に形成する。袋状に形成された内部に充填材を充填して枕部材５を形成する。【選択図】図１
0003168830.tif 000002
【実用新案登録請求の範囲】
【請求項１】
一部又は全部の周縁部が縫合された表側生地部と裏側生地部との内部に充填材が収納された枕部材であって、
前記表側生地部の相対向する両端部付近及び前記裏側生地部の相対向する両端部付近に一対の第１の縫合部位が形成され、
前記表側生地部と前記裏側生地部との間に、前記一対の第１の縫合部位と同方向の両端部付近にそれぞれ一対の第２の縫合部位を有する仕切り布が配設され、
前記一対の第２の縫合部位間の長さが前記一対の第１の縫合部位間の長さより短い寸法で形成され、
前記表側生地部と前記裏側生地部と前記仕切り布とが、前記一対の第１の縫合部位と前記一対の第２の縫合部位とを重ねた位置において縫合されることにより、前記表側生地部と前記裏側生地部とが、前記充填材を収納する袋状に形成されることを特徴とする枕部材。
【請求項２】
前記表側生地部と前記裏側生地部における一対の前記第１の縫合部位間を結ぶ方向と直交する方向の一方の端部には、前記充填材を充填するための開口部位が開閉可能に形成されていることを特徴とする請求項１記載の枕部材。
【請求項３】
前記表側生地部と前記裏側生地部と前記仕切り布とがそれぞれ矩形状に形成され、前記仕切り布には、少なくとも前記開口部位側に凹状部が形成されていることを特徴とする請求項２記載の枕部材。
【請求項４】
平面視矩形状の少なくとも２個の袋部と、長手方向を縦方向に並設した少なくとも２個の前記袋部間に配設される連結部と、を備え、縦方向に並設された前記袋部の縦方向側の一辺付近に、前記袋部を開閉するための線状ファスナ部が配設され、
前記少なくとも２個の袋部と前記連結部とは、１枚の帯状布に形成された前側生地部と、１枚の帯状布に形成された後側生地部と、を重合して形成され、
前記前側生地部及び前記後側生地部とは、それぞれ前記袋部を形成するための袋部形成生地部と前記連結部を形成するための連結部形成生地部とを備え、
それぞれの前記袋部には、請求項１乃至３記載の枕部材が収納されることを特徴とする枕。
【請求項５】
充填材が充填される平面視矩形状の少なくとも２個の袋部と、長手方向を縦方向に並設した少なくとも２個の前記袋部間に配設される連結部と、を備え、縦方向に並設された前記袋部の縦方向側の一辺付近に、前記袋部を開閉するための線状ファスナ部が配設され、
前記少なくとも２個の袋部と前記連結部とは、１枚の帯状布に形成された前側生地部と、１枚の帯状布に形成された後側生地部と、前記前側生地部と前記後側生地部との間に配設されて１枚の帯状布に形成された仕切り布と、を重合して形成され、
前記前側生地部及び前記後側生地部及び前記仕切り布は、それぞれ前記袋部を形成するための袋部形成生地部と前記連結部を形成するための連結部形成生地部とを備え、
前記仕切り布の袋部形成生地部における前記帯状布の長手方向に沿った横幅長さが、前記前側生地部の袋部形成生地部又は前記後側生地部の袋部形成生地部におけるそれぞれの前記帯状布の長手方向に沿った横幅長さより短く形成され、
前記前側生地部と前記後側生地部と前記仕切り布とが、それぞれの前記連結部形成生地部およびそれぞれの前記帯状布の両端部で縫合されることにより、それぞれの前記袋部が前記充填材を収納する袋状に形成されることを特徴とする枕。
【請求項６】
前記仕切り布の袋部形成生地部には、前記線状ファスナ部に対向する方向の端部に凹状部が形成されていることを特徴とする請求項５記載の枕。
【請求項７】
前記線状ファスナ部は、対向して配置された一対の帯状ベース部材にそれぞれ多数の歯を配置して対向する歯どうしを噛み合わせて形成する1本のエレメントと前記エレメントの歯を噛み合わせ可能に案内するスライダ部とを有して構成され、１本のエレメントが前記少なくとも２個の袋部を連通して配設され、各袋部に１個のスライダ部が配設されていることを特徴とする請求項６記載の枕。
【請求項８】
前記前側生地部又は後側生地部には、前記線状ファスナ部で開口された開口部を塞ぐ充填材こぼれ防止布が、前記前側生地部又は後側生地部の一端に縫合して配設されていることを特徴とする請求項５，６又は７のいずれかに記載の枕。
【考案の詳細な説明】
【技術分野】
【０００１】
本考案は、充填材を充填しやすいように袋状に形成する枕部材、及び横向きに寝ていても痺れを生じさせたり耳部分を痛めたりすることなく安眠できる枕に関する。
【背景技術】
【０００２】
従来、充分な睡眠をとるために工夫された各種の枕が提案されていた。例えば、特許文献１には、そば殻、羽毛、プラスチックパイプ、低反発ウレタンなどのいずれか一つを収納した枕部材を互いに連結した枕が開示されている。これによると、並設されて複数に積み上げられた枕部材が連結部材で連結されて構成されている。各枕部材は連結部材に着脱可能に配置されてそれぞれ適宜に配置される。例えば、二列に並設されて各２個ずつ積み上げられた枕部材を１個の連結部材で連結した枕では、２個積み上げられて並設された枕部材間には連結部材が溝状に形成されている。人の頭部分を枕部材上に乗せたり、またこの溝状に配置された連結部材に仰向け状態で頭部分を乗せたり、横向き状態で耳部分を対向させたりすることができる。さらには、並設された一方には３個の枕部材を積み重ね、他方には１個の枕部材を配置して連結部材で連結し、１個の枕部材に人の肩部分を乗せ、３個に積み上げられた枕部材に人の頭部分を乗せたりすることもできる。それによって適宜な状態で快適な睡眠を得ることができることとなった。
【０００３】
また、特許文献２には、表地と裏地との間に仕切り布を介在した技術が開示されている。これによるとこの枕は発汗性能に優れた乳幼児用枕であって、頭頂支持部と首当接部との間に凹み部を設け、頭頂支持部を、水分吸排出を有する仕切り布により上下に吸湿機能室と排湿機能室とに分けている。仕切り布は表地と裏地との周縁を縫製して３重となるように設けられている。
【先行技術文献】
【特許文献】
【０００４】
【特許文献１】特開２００８−１８１５４公報
【特許文献２】特開２００６−２３９０４７公報
【考案の概要】
【考案が解決しようとする課題】
【０００５】
しかし、特許文献１及び特許文献２の枕は、適宜な状態で安眠することができるものの、枕部材の内部構造に関することは何ら開示若しくは示唆されておらず枕部材の膨らみを維持して長期間使用するようには構成されていない。従って、枕部材に収納する収納材の量を調整可能に構成することも何ら開示若しくは示唆されていない。つまり、特許文献１の枕部材の高さ調整は、収納部材が収納された枕部材の積み重ね高さによるものであったから、頭部分を高くしたい場合には、極端に高くなって、実用的には適していなかった。
【０００６】
特許文献２の場合は、表地と裏地と仕切り布で三重となるように構成されているものの、仕切り布で分割された室は、単に、２種類の充填物を充填するために設けられたものであり、長期間使用する際に、その膨らみを維持しようとするようには構成されていない。従って、長期間の使用に伴い、所定期間を経過すると、分割された２室は、そのうち平坦状となって、新たな充填物を再度充填しなければならなくなっていた。
【０００７】
本考案は、上述の課題を解決するものであり、この目的は、第１に、枕の袋部の膨らみを常に維持して安眠できるように構成することであり、第２に、人が横向き状態で寝る場合に、耳部分を圧迫して痺れさせたり痛くなったりすることを防止することを目的とする。
【課題を解決するための手段】
【０００８】
本考案に係る枕は、以下のように構成するものである。すなわち、
請求項１記載の考案の枕部材は、一部又は全部の周縁部が縫合された表側生地部と裏側生地部との内部に充填材が収納された枕部材であって、前記表側生地部の相対向する両端部付近及び前記裏側生地部の相対向する両端部付近に一対の第１の縫合部位が形成され、前記表側生地部と前記裏側生地部との間に、前記一対の第１の縫合部位と同方向の両端部付近にそれぞれ一対の第２の縫合部位を有する仕切り布が配設され、前記一対の第２の縫合部位間の長さが前記一対の第１の縫合部位間の長さより短い寸法で形成され、前記表側生地部と前記裏側生地部と前記仕切り布とが、前記一対の第１の縫合部位と前記一対の第２の縫合部位とを重ねた位置において縫合されることにより、前記表側生地部と前記裏側生地部とが、前記充填材を収納する袋状に形成されることを特徴とするものである。
【０００９】
請求項２記載の考案の枕部材は、請求項１の考案に係るものであって、前記表側生地部と前記裏側生地部における一対の前記第１の縫合部位間を結ぶ方向と直交する方向の一方の端部には、前記充填材を充填するための開口部位が開閉可能に形成されていることを特徴としている。
【００１０】
請求項３記載の考案の枕部材は、請求項２の考案に係るものであって、前記表側生地部と前記裏側生地部と前記仕切り布とがそれぞれ矩形状に形成され、前記仕切り布には、少なくとも前記開口部位側に凹状部が形成されていることを特徴としている。
【００１１】
請求項４記載の考案の枕は、平面視矩形状の少なくとも２個の袋部と、長手方向を縦方向に並設した少なくとも２個の前記袋部間に配設される連結部と、を備え、縦方向に並設された前記袋部の縦方向側の一辺付近に、前記袋部を開閉するための線状ファスナ部が配設され、前記少なくとも２個の袋部と前記連結部とは、１枚の帯状布に形成された前側生地部と、１枚の帯状布に形成された後側生地部と、を重合して形成され、前記前側生地部及び前記後側生地部とは、それぞれ前記袋部を形成するための袋部形成生地部と前記連結部を形成するための連結部形成生地部とを備え、それぞれの前記袋部には、請求項１乃至３記載の枕部材が収納されることを特徴とするものである。
【００１２】
請求項５記載の考案の枕は、充填材が充填される平面視矩形状の少なくとも２個の袋部と、長手方向を縦方向に並設した少なくとも２個の前記袋部間に配設される連結部と、を備え、縦方向に並設された前記袋部の縦方向側の一辺付近に、前記袋部を開閉するための線状ファスナ部が配設され、前記少なくとも２個の袋部と前記連結部とは、１枚の帯状布に形成された前側生地部と、１枚の帯状布に形成された後側生地部と、前記前側生地部と前記後側生地部との間に配設されて１枚の帯状布に形成された仕切り布と、を重合して形成され、前記前側生地部及び前記後側生地部及び前記仕切り布は、それぞれ前記袋部を形成するための袋部形成生地部と前記連結部を形成するための連結部形成生地部とを備え、前記仕切り布の袋部形成生地部における前記帯状布の長手方向に沿った横幅長さが、前記前側生地部の袋部形成生地部又は前記後側生地部の袋部形成生地部におけるそれぞれの前記帯状布の長手方向に沿った横幅長さより短く形成され、前記前側生地部と前記後側生地部と前記仕切り布とが、それぞれの前記連結部形成生地部およびそれぞれの前記帯状布の両端部で縫合されることにより、それぞれの前記袋部が前記充填材を収納する袋状に形成されることを特徴とするものである。
【００１３】
請求項６記載の考案の枕は、請求項５の考案に係るものであって、前記仕切り布の袋部形成生地部には、前記線状ファスナ部に対向する方向の端部に凹状部が形成されていることを特徴としている。
【００１４】
請求項７記載の考案の枕は、請求項６の考案に係るものであって、前記線状ファスナ部は、対向して配置された一対の帯状ベース部材にそれぞれ多数の歯を配置して対向する歯どうしを噛み合わせて形成する1本のエレメントと前記エレメントの歯を噛み合わせ可能に案内するスライダ部とを有して構成され、１本のエレメントが前記少なくとも２個の袋部を連通して配設され、各袋部に１個のスライダ部が配設されていることを特徴としている。
【００１５】
請求項８記載の考案は、請求項５，６、又は７のいずれかの考案に係わるものであって、前記前側生地部又は後側生地部には、前記線状ファスナ部で開口された開口部を塞ぐ充填材こぼれ防止布が、前記前側生地部又は後側生地部の一端に縫合して配設されていることを特徴としている。
【考案の効果】
【００１６】
請求項１の考案によれば、本考案の枕部材は、表側生地部と後裏側生地部とを仕切り布を間にして縫合することによって、充填材を収納する袋部を形成している。表側生地部と裏側生地部の両端部付近には、それぞれ第１の縫合部位が形成され、仕切り布の両端部付近には第２の縫合部位が形成されている。仕切り布の第２の縫合部位間の長さを、第１の縫合部位間の長さより短く形成して、第１の縫合部位と第２の縫合部位との位置に合わせて縫合すると、第２の縫合部位間の長さが第１の縫合部位間の長さより短いので表側生地部と裏側生地部とが弛みを有することになる。これによって、表側生地部と裏側生地部との一方の周縁部を縫合することにより、１個の袋部を形成することができる。そのため、表側生地部と仕切り布、裏側生地部と仕切り布との間に充填材を充填させて膨大させることができ、長期間の使用においても、充填材が押し付けられて平坦状にはならず、膨大した状態、つまり枕の高さ維持することができる。
【００１７】
請求項２の考案の枕部材によれば、表側生地部又は裏側生地部における第１の縫合部位間を結ぶ方向に対して直交する方向の一方には開口部位が開閉可能に形成されているから、袋状に形成された表側生地部または裏側生地部内に仕切り布を間にして、開口部位から充填材を収納することができる。
【００１８】
請求項３の考案の枕部材によれば、仕切り布には、開口部位側に凹状部を形成しているから、充填材を収納する際、充填材が、開口部位から離れた位置にある凹状部の底部で分けられることとなって、仕切り布で仕切られた２室に充填材を均等に充填しやすくなる。
【００１９】
請求項４の考案の枕によれば、請求項１乃至３の枕部材を収納する少なくとも２個の袋部と袋部間を連結する連結部とを有して形成されている。この枕は、袋部形成生地部と連結部形成生地部とを有する帯状の前側生地部と帯状の後側生地部とを、帯状の長手方向の両端部及び短手方向の一方の端部及び連結部形成生地部とを縫合することによって形成されている。それぞれの袋部に請求項１乃至３に係わる枕部材を収納することによって、膨大した袋部及び平坦溝状に形成された連結部が形成されることとなる。この連結部に人の耳部分を対向するように横向きに寝ることによって、耳部分が圧迫されないから、耳部分を痺れさせたり、痛めさせたりすることはない。しかも、充填材を充填した枕部材を、袋部に収納するから、例え、枕部材内の充填材が枕部材からこぼれたとしても、袋部内に収納できるから、枕自体から充填材がこぼれることがない。
【００２０】
請求項５の考案の枕によれば、充填剤が充填された少なくとも２個の袋部間に連結部で連結して一体的に構成することにより、連結部は両側の袋部に対して溝状に形成されることになる。そのため、例えば、横向きに伏せて耳部分を溝状の連結部に対向させることによって、耳部分が連結部内に入ることになって、耳部分が直接頭の重力で押し付けられないから、耳部分を痺れさせたり痛めさせたりすることはない。
【００２１】
なお、この袋部は、帯状布に形成された前側生地部と後側生地部と仕切り布とを重ね合わせることによって形成されている。前側生地部と後側生地部及び仕切り布は、それぞれの連結部形成生地部及び、それぞれの帯状布の両端部で縫合されている。この際、仕切り布の横幅長さが、前側生地部、後側生地部の横幅長さより短く形成されている。これによって、前側生地部と後側生地部及び仕切り布とを上述のそれぞれの連結部形成生地部及び、それぞれの帯状布の両端部の位置で縫合すると、前側生地部と後側生地部の袋部形成生地部は弛みを有することになる。その後、前側生地部と後側生地部の他の周縁部を縫合することによって、１個の袋部は袋状に形成されるから、充填材を充填させて袋部を膨大させることができる。
【００２２】
また、袋部には線状ファスナ部が設けられているため、袋部に充填する充填材の量を調整することができる。これによって、袋部の高さを調整することができる。さらに、袋部を平面視矩形状に形成して縦方向に並設させていることから、複数の袋部を並設しても敷布団の幅方向に対して枕の幅方向を制限して形成することができる。
【００２３】
請求項６の考案の枕によれば、仕切り布は線状ファスナ部側の端部に凹状部を有して形成されている。そのため、線状ファスナ部を開口して充填材を充填させる際に、請求項３の効果と同様、仕切り布で分割した２室に充填材を均等に収納させることができる。
【００２４】
請求項７の考案の枕によれば、線状ファスナ部は、少なくとも２個の袋部と連結部を連通する１本のエレメントを有している。１本のエレメントには、各袋部を開閉案内するスライダ部をそれぞれの袋部に設けている。従って、各袋部の充填材の量をそれぞれ調整することができる。また、エレメントは１本で複数の袋部を連通して形成されているから、本考案の枕を製作する際、製作が容易となり、製作コストを低減することができる。
【００２５】
請求項８の考案によれば、線状ファスナ部で開口された開口部を充填材こぼれ防止布が配設されているから、各袋部の線状ファスナ部を開けて各袋部内の充填材の量を調整する際、充填材が外にこぼれることはない。
【図面の簡単な説明】
【００２６】
【図１】本考案による第１の実施形態による枕を示す斜視図である。
【図２】図１の枕のII−II断面図である。
【図３】図１の枕の平面図である。
【図４】図１の袋部に収納する枕部材を示す平面断面図である。
【図５】図４の枕部材を形成する分解図である。
【図６】第２の実施形態の枕を示す斜視図である。
【図７】図６におけるVII矢視図である。
【図８】図６の枕を示す平面図である
【図９】第２の実施形態の枕の各構成部材を示す平面図である。
【図１０】縫製された第２の後側生地部を示す平面図である。
【図１１】第２の後側生地部に仕切り布を縫合する縫製過程を示す平面図である。
【図１２】縫製された第３の後側生地部を示す平面図である。
【図１３】第３の後側生地部に前側生地部を縫製する縫製過程を示す平面図である。
【図１４】第３の後側生地部と前側生地部を連結部形成部で縫合する縫製過程を示す平面図である。
【図１５】残りの箇所を縫合することにより袋部を袋状に形成する状態を示す平面図である。
【図１６】裏側を表面側に折り返して形成する充填材を充填しない完成前の枕を示す平面図である。
【図１７】図１又は図６の枕に外カバーを装着した状態を示す断面図である。
【図１８】図１又は図６の枕に人が横向きに寝ている状態を示す斜視図である。
【図１９】図１又は図６の実施形態の枕に夫婦が寝ている状態を示す斜視図である。
【図２０】図１又は図６の枕に紐を付けて防災用頭巾とした平面図である。
【図２１】図２０の防災用頭巾を被った状態を示す斜視図である。
【考案を実施するための形態】
【００２７】
以下、本考案の一実施形態を図面に基づいて説明する。
【００２８】
図１〜３に示すように、第１の実施形態の枕１０は、複数の袋部形成生地部１０１と袋部形成生地部１０１間に配置される連結部形成生地部１０２を有して帯状布に形成された１枚の前側生地部１と、複数の袋部形成生地部２０１と袋部形成生地部２０１間に配置される連結部形成生地部２０２を有して帯状布に形成された１枚の後側生地部２とを縫合して形成されている。前側生地部１の帯状布に形成された短手方向の長さ（以下、縦長さという）は、後側生地部２の帯状布に形成された短手方向の長さ（以下縦長さという）より短く形成され、前側生地部１と後側生地部２の帯状布に形成された長手方向に沿った間にはチャック部としての線状ファスナ部３が配置されている。つまり、後側生地部２の縦長さ方向の一方の端部を折り返した端面に対向して、前側生地部１の縦長さ方向の一方の端面が線状ファスナ部３を間にして配置されることになる。
【００２９】
線状ファスナ部３は、実施形態においては、一対の帯状布ベース３０１、３０１に多数の歯３０２を有して噛み合い可能に形成されたものを使用している。以下の説明にあっては、一対の帯状布ベース３０１、３０１に多数の歯３０２を対向して配置する構成部位をエレメント（または務歯）３ａといい、エレメント３ａを噛合い可能に案内する構成部位をスライダ部３ｂという。線状ファスナ部３は長手方向に沿った両端を前側生地部１及び後側生地部２に縫合されている。
【００３０】
前側生地部１と後側生地部２とは、線状ファスナ部３側を除いた前側生地部１の周縁部及び連結部形成生地部１０２と、後側生地部２の周縁部及び連結部形成生地部２０２を重ねた位置で縫合して形成している。これにより枕１０は、４個の袋部１１（図１中、左側から順に１１Ａ、１１Ｂ、１１Ｃ、１１Ｄ）と、隣接する袋部１１、１１間を連結する３個の連結部１２（図１中、左側から順に１２Ａ、１２Ｂ、１２Ｃ）とが一体化して形成されることになる。第１の実施形態において、袋部１１は、平面視矩形状に形成されて、長手方向を縦方向に４個並設した状態で、平板状の連結部１２で連結されている。
【００３１】
なお、線状ファスナ部３において、エレメント３ａは、縦方向に沿った袋部１１の一辺における１個目の袋部１１Ａの一方の端部から４個目の袋部１１Ｄの他方の端部まで１本に形成されている。スライダ部３ｂ（図３中、左から順に、３ｂＡ、３ｂＢ、３ｂＣ、３ｂＤ）は、袋部１１毎に４個配置されている。４個のスライダ部３ｂのうち、線状ファスナ部３が閉じた状態で、スライダ部３ｂＡは、図１における袋部１１Ａの左端の位置にあって袋部１１Ａから袋部１１Ｂに向かって開口できるように配置され、スライダ部３ｂＢは、図３中、連結部１２Ｂの上端付近の袋部１１Ｂ端部に袋部１１Ｂの左端から袋部１１Ａに向かって開口できるように配置されている。また、スライダ部３ｂＣは、連結部１２Ｂの上端付近で袋部１１Ｃの左端でスライダ部３ｂＢに近接して袋部１１Ｃの左端から袋部１１Ｄに向かって開口できるように配置され、スライダ部３ｂＤは、図１における袋部１１Ｄの右端から袋部１１Ｃに向かって開口できるように袋部１１Ｄの右端に配置されている。
【００３２】
各袋１１部内には、充填材Ｐが充填されて独立した１個の枕部材５が収納されている。
【００３３】
図４〜５に示すように、枕部材５は、相対向する両端部に第１の縫合部位６ａ、６ａを有する矩形状の表側生地部６と両端部に第１の縫合部位７ａ、７ａを有する矩形状の裏側生地部７とを備え、表側生地部６と裏側生地部７との間に両端部に第２の縫合部位８ａ、８ａを有する仕切り布８を介在させて重ねて縫合することによって形成されている。なお、表側生地部６（裏側生地部７）の一対の第１の縫合部位６ａ、６ａ（７ａ、７ａ）を結ぶ方向を横幅方向といい、横幅方向と直交する方向を縦方向という。
【００３４】
表側生地部６の縦方向の長さは、裏側生地部７の縦方向の長さより短く形成され、一方の端部にはチャック部としての線状ファスナ部９が配置されている。つまり、裏側生地部７の縦方向の一方の端部を折り返した端面に対向して、表側生地部６の縦方向の一方の端面が線状ファスナ部９を間にして配置されることになる。
【００３５】
この際、仕切り布８における第２の縫合部位８ａ、８ａ間の横幅方向の横幅長さＳ２を表側生地部６の第１の縫合部位６ａ、６ａの横幅方向の横幅長さ及び裏側生地部７の第１の縫合部位７ａ、７ａの横幅方向の横幅長さＳ１より短く形成する。短く形成された仕切り布８の第２の縫合部位８ａ、８ａ間の横幅長さＳ２に、表側生地部６の第１の縫合部位６ａ、６a及び裏側生地部７の第１の縫合部位７ａ、７ａ間の横幅長さＳ１を合わせて縫合することにより、表側生地部６と裏側生地部７は弛むことになり、表側生地部６及び裏側生地部７の縦方向における線状ファスナ部９と反対側の端部を縫合することによって袋状に形成されることになる。
【００３６】
線状ファスナ部９においては、一対の帯状布ベース９０１、９０１に多数の歯９０２を対向して配置する構成部位をエレメント（または務歯）９ａといい、エレメント９ａを噛合い可能に案内する線状ファスナ部９の構成部位をスライダ部９ｂという。
【００３７】
なお、仕切り布８の縦方向両端部は凹状部８ｂ、８ｂを形成している。そして、表側生地部６と裏側生地部７内に充填材Ｐ（図２参照）を収納し、表側生地部６と裏側生地部７の仕切り布８を横方向に配置した状態で仕切り布８と直交する方向の１辺に線状ファスナ部９を介在させて縫合することによって枕部材５を形成することができる。
【００３８】
仕切り布８の凹状部８ｂの底部が開口可能に形成された線状ファスナ部９から離れた位置にあることから、充填材Ｐを枕部材５内に充填する際に、分割された２室に均等に充填し易い。さらに枕部材５に充填材Ｐの量を調整することによって、枕部材５の高さ調整をすることができる。例えば、横向きに寝る人の肩幅が大きい人は、枕部材５を高くする必要がある。そのため、通常より多くの充填材Ｐを充填することになる。
【００３９】
枕部材５内に収納される充填材Ｐとしては、実施形態ではプラスチックパイプを使用しているが、そば殻や羽毛または低反発ウレタン等であっても良い。この充填材Ｐを枕部材５に充填する場合は、スライダ部９ｂで線状ファスナ部９を開口させ、例えば、蓮華さじを使って充填材Ｐの量を調整しながら充填する。図１に示すように、各袋部１１に枕部材５が収納されることによって、各袋部１１は膨大し、連結部１２には枕部材５が収納されないことから、連結部１２は袋部１１の厚み方向の中間位置において平板状に形成される。
【００４０】
次に第２の実施形態の枕２０について説明する。
【００４１】
図６〜８に示すように、第２の実施形態の実施形態の枕２０は、第１の実施形態と同様、４個の袋部２１（図６中、左側から順に２１Ａ、２１Ｂ、２１Ｃ、２１Ｄ）と隣接する袋部２１間に配置される３個の連結部２２（図６中、左側から順に２２Ａ、２２Ｂ、２２Ｃ）を備えて、４個の袋部２１を一体化させて形成している。
【００４２】
袋部２１は、平面視矩形状に形成されて、長手方向を縦方向に４個並設した状態で、平板状の連結部２２で連結されている。さらに袋部２１を形成するための袋部形成生地部３１１と連結部２２を形成するための連結部形成生地部３１２とを有する前側生地部３１と、袋部２１を形成するための袋部形成生地部３２１と連結部２２を形成するための連結部形成生地部３２２とを有する後側生地部３２とを所定部位で縫合して形成されている。
【００４３】
前側生地部３１の帯状布に形成された短手方向の長さ（以下、縦長さという）は、後側生地部３２の帯状布に形成された短手方向の長さ（以下縦長さという）より短く形成され、前側生地部３１と後側生地部３２の帯状布に形成された長手方向に沿った間にはチャック部としての線状ファスナ部２３が配置されている。つまり、後側生地部２の縦長さ方向の一方の端部を折り返した端面に対向して、前側生地部１の縦長さ方向の一方の端面が線状ファスナ部２３を間にして配置されることになる。
【００４４】
線状ファスナ部２３においては、一対の帯状布ベース２３１、２３１に多数の歯２３２を対向して配置する構成部位をエレメント（または務歯）２３ａといい、エレメント２３ａを噛合い可能に案内する構成部位をスライダ部２３ｂという。線状ファスナ部２３は一対の帯状布ベース２３１、２３１を長手方向に沿った両端をそれぞれ前側生地部３１及び後側生地部３２の端部に縫合している。
【００４５】
エレメント２３ａは、縦方向に沿った袋部１１の一辺における１個目の袋部２１Ａの一方の端部から４個目の袋部２１Ｄの他方の端部まで１本に形成されている。スライダ部２３ｂ（図８中、左から順に、２３ｂＡ、２３ｂＢ、２３ｂＣ、２３ｂＤ）は、袋部２１毎に４個配置されている。４個のスライダ部２３ｂのうち、線状ファスナ部２３が閉じた状態で、スライダ部２３ｂＡは、図６における袋部２１Ａの左端の位置にあって袋部２１Ａから袋部２１Ｂに向かって開口できるように配置され、スライダ部２３ｂＢは、図８中、連結部１２Ｂの上端付近の袋部２１Ｂ端部に袋部２１Ｂの左端から袋部２１Ａに向かって開口できるように配置されている。また、スライダ部３ｂＣは、連結部２２Ｂの上端付近で袋部２１Ｃの左端でスライダ部２３ｂＢに近接して袋部２１Ｃの左端から袋部２１Ｄに向かって開口できるように配置され、スライダ部２３ｂＤは、図６における袋部２１Ｄの右端から袋部２１Ｃに向かって開口できるように袋部２１Ｄの右端に配置されている。
【００４６】
次に、第２の実施形態の枕２０を縫製する手順について、図９〜１６に基づいて説明する。図９に示すように、枕２０は、５個のパーツから構成されている。つまり、細長帯状布に形成された前側生地部３１と、前側生地部１と帯状布の前側生地部３１の長手方向の長さ（以下、横長さＬ１という。）が同一であって前側生地部３１の帯状布の短手方向の長さ（以下、縦長さＨ１という。）より帯状布の短手方向の長さ（以下、縦長さＨ２という。）が長い寸法の後側生地部３２と、後側生地部３２の長手方向に沿った一端側に固定されて後側生地部３２の短手方向の長さ（縦長さＨ３という。）が短い充填材こぼれ防止布３３と、前側生地部３１と後側生地部３２との間に重合して縫合されて前側生地部３１又は後側生地部３２の短手方向の長さ（縦長さＨ４という。）が短い仕切り布３４と、線状ファスナ部２３と、からなる。つまり、前側生地部３１と後側生地部３２と充填材こぼれ防止布３３及び仕切り布３４の縦長さは、Ｈ２＞Ｈ１＞Ｈ４＞Ｈ３となるように形成されている。
【００４７】
前側生地部３１には、袋部２１を形成する４個の袋部形成生地部３１１と連結部１２を形成する３個の連結部形成生地部３１２とが形成されている。以下、前側生地部３１の帯状布の長さ方向に沿った袋部形成生地部３１１の長さを幅長さＬ１といい、同方向の連結部形成生地部３１２を幅長さＭ１という。また、帯状布に形成された前側生地部１の長手方向の両端部を３１ａ、３１ｂとする。
【００４８】
後側生地部３２には、袋部２１を形成する４個の袋部形成生地部３２１と連結部２２を形成する３個の連結部形成生地部３２２とが形成されている。以下、後側生地部３２の帯状布の長さ方向に沿った袋部形成生地部３２１の長さを幅長さＬ２といい、同方向の連結部形成生地部３２２を幅長さＭ２という。後側生地部３２の袋部形成生地部３２１の幅長さＬ２は、前側生地部３１の袋部形成生地部３１１の幅長さＬ１と略同一に形成されている。また、後側生地部２の連結部形成生地部３２２の幅長さＭ２は、前側生地部３１の連結部形成生地部３１２の幅長さＭ１と略同一に形成されている。また、帯状布に形成された後側生地部２の長手方向の両端部を３２ａ、３２ｂとする。
【００４９】
また、充填材こぼれ防止布３３には、袋部２１に対応する４個の袋部対応生地部３３１と連結部２２に対応する３個の連結部対応生地部３３２とが形成されている。充填材こぼれ防止布３３の袋部対応生地部３３１の幅長さ及び連結部対応生地部３３２との幅長さは、上述の前側生地部３１の袋部形成生地部３１１の幅長さＬ１及び連結部形成生地部３１２の幅長さＭ１と略同一に形成されている。
【００５０】
仕切り布３４には、袋部２１を形成する４個の袋部形成生地部３４１と連結部２２を形成する３個の連結部形成生地部３４２とが形成されている。以下、仕切り布３４の帯状布の長さ方向に沿った袋部形成生地部３４１の長さを幅長さＬ４といい、同方向の連結部形成生地部３４２の長さを幅長さＭ４という。また、帯状布に形成された仕切り布３４の長手方向の両端部を３４ａ、３４ｂとする。
【００５１】
仕切り布３４の袋部形成生地部３４１の幅長さＬ４は、前側生地部３１の袋部形成生地部３１１の幅長さＬ１又は後側生地部３２の袋部形成生地部３４１の幅長さＬ２より短く形成されている。仕切り布３４の連結部形成生地部３４２の幅長さＭ４は、前側生地部３１の連結部形成生地部３１２の幅長さＭ１又は後側生地部３２の連結部形成生地部３２２の幅長さＭ２と略同一に形成されている。また、仕切り布３４の各袋部形成生地部３４１には、幅長さＬ４方向に沿うそれぞれの端部に袋部形成生地部３４１側に凹む凹状部３４１ａが形成されている。
【００５２】
凹状部３４１ａは底部が開口可能に形成された線状ファスナ部３から離れた位置にあることから、充填材Ｐを各袋部１１内に充填する際に、分割された２室に均等に充填し易い。さらに袋部１１に充填する充填材１９の量を調整することによって、袋部１１の高さ調整をすることができる。例えば、横向きに寝る人の肩幅が大きい人は、袋部１１を高くする必要がある。そのため、通常より多くの充填材Ｐを充填することになる。
【００５３】
前側生地部３１、後側生地部３２及び仕切り布３４とは、後述の縫製手順に示すように、それぞれの連結部形成生地部３１２、３２２、３４２の位置、及び前側生地部３１の両端部３１ａ、３１ｂ、後側生地部３２の両端部３２ａ、３２ｂ及び仕切り布３４における帯状布に沿った両端部３４ａ、３４ｂで縫合される。
【００５４】
次に、上記にように形成された各パーツの縫製手順について説明する。
【００５５】
先ず、図１０に示すように、後側生地部３２と充填材こぼれ防止布３３とを組付ける。充填材こぼれ防止布３３の上端を後側生地部３２の上端に合わせ、後側生地部３２の袋部形成生地部３１１及び連結部形成生地部３１２と充填材こぼれ防止布３３の袋部対応生地部３３１及び連結部対応生地部３３２との位置を合わせて上端部同士を縫合する。そのため、充填材こぼれ防止布３３の下端部は自由端となり、後側生地部３２は、充填材こぼれ防止布３３が縫合された第２の後側生地部３２Ａとして形成される。
【００５６】
次に、図１１に示すように、第２の後側生地部３２Ａに仕切り布３４を縫合する。上述のように、仕切り布３４の袋部形成生地部３４１の幅長さＬ４は後側生地部３２の袋部形成生地部３１１の幅長さＬ２より短く形成されている。この状態で、仕切り布３４の３個の連結部形成生地部３４２に、後側生地部３２の３個の連結部形成生地部３２２を同一の位置となるように合わせる。
【００５７】
そして、図１２に示すように、仕切り布３４の連結部形成生地部３４２と後側生地部３２の連結部形成生地部３２２の両端部の２箇所の位置において、後側生地部３２と仕切り布３４とを縫合する。仕切り布３４の両端部３４ａ、３４ｂは縫合されずに自由端となっている。従って、この状態では、袋部２１Ｂおよび２１Ｃに対応する袋部形成生地部３２１は袋状に形成されるための弛みを有することになる。
【００５８】
これにより、第２の後側生地部３２Ａは、枕２０を形成する前の第３の後側生地部３２Ｂを形成することになる。
【００５９】
次に、図１３に示すように、第３の後側生地部３２Ｂの長手方向に沿って線状ファスナ部２３を間にして前側生地部３１を平行に配置して前側生地部３１と第３の後側生地部３２Ｂとを縫合する。線状ファスナ部２３は、１本のエレメント２３ａと４個のスライダ部２３ｂで構成されている。第３の後側生地部３２Ｂの表面に仕切り布３４が縫合された状態で、線状ファスナ部２３の一対の帯状布ベース２３１、２３１のうち、第３の後側生地部３２Ｂに対向する側に配置された帯状布ベース２３１と第３の後側生地部３２Ｂの端部とを縫合し、前側生地部３１に対向する側に配置された帯状布ベース２３１と前側生地部３１の端部とを縫合する。
【００６０】
次に、図１４に示すように、前側生地部３１を仕切り布３４と反対側（裏側）になるように線状ファスナ部２３（図１３参照）より僅かに第３の後側生地部３２Ｂに進入した位置において折り返し、前側生地部３１を第３の後側生地部３２Ｂ上に重ねる。この状態で、図１５に示すように、縫合されていない前側生地部３１の帯状布の長手方向に沿った両端部３１ａ、３１ｂを、第３の後側生地部３２Ｂの端部３２ａ、３２ｂと共に仕切り布３４の両端部３４ａ、３４ｂの位置に合わせて縫合するとともに、線状ファスナ部２３の反対側の端部（図１５における下端側）において第３の後側生地部３２Ｂと前側生地部３１における縦方向端部を縫合する。これにより、全ての袋部２１Ａ、２１Ｂ、２１Ｃ、２１Ｄはそれぞれの袋部形成生地部３１１、３２１が弛むことになる。さらに、図１６に示すように、線状ファスナ部２３を開口して、内側の底部を引っ張り出して表側に現し、前側生地部３１の連結部形成生地部３１２と第３の後側生地部３２Ｂの連結部形成生地部３２２とを縫合して４個の袋部２１Ａ、２１Ｂ、２１Ｃ、２１Ｄを形成する。これにより、４個の袋部２１Ａ、２１Ｂ、２１Ｃ、２１Ｄ内に充填材Ｐが収納されていない完成前枕２０Ａが形成される。
【００６１】
最後に、袋状に形成された４個の袋部２１（２１Ａ、２１Ｂ、２１Ｃ、２１Ｄ）に充填材Ｐを充填して枕２０が完成される。完成された実施形態の枕２０は、図６に示すように、４個の袋部２１（２１Ａ、２１Ｂ、２１Ｃ、２１Ｄ）間に袋部２１から凹んだ位置に３個の連結部１２（１２Ａ、１２Ｂ、１２Ｃ）が設けられることとなる。
【００６２】
なお、図６に示す枕２０の袋部２１におけるいずれかの１個の袋部２１にお香材が充填されたお香袋を収納することができる。お香材がいずれかの袋部２１に収納されることによって枕１０からよい香りを感じることができ、安眠し易くなる。
【００６３】
さらに、図１７に示すように、上記のように形成された枕２０に外カバー２５を装着することができる。例えば、肩幅の広い人のために、枕２０の高さをさらに高くしたい場合には、外カバー２５を重ねるかあるいは、厚みのある外カバー２５を装着する。
【００６４】
次に、このように形成された枕１０又は２０の使用態様を説明する。
【００６５】
本考案の枕１０（又は２０）は、特に横向きに寝ている人に対して有効に使用できるものであり、図１８に示すように、人の耳部分を、袋部１１（又は２１）間の凹んだ位置にある連結部１２（又は２２）に対向させるように構成したものである。一般に横向きに寝る人は、耳部分を袋部１１（又は２１）に長時間圧迫することによって耳部分に痺れが生じたり痛みを感じたりして、安眠することができない。実施形態の枕１０（又は２０）では、横向きに寝る人が耳部分を圧迫しないで寝ることができるから、安眠し易くなる。特に実施形態の枕１０（又は２０）のように、４個の袋部１１（又は２１）と３個の連結部１２（又は２２）を有していれば、初めに端部に設けられた連結部１２Ａ（又は２２Ａ）に、耳部分を対向させるように横向きに寝れば、寝返りを打っても、次の連結部１２Ｂ（又は２２Ｂ）、１２Ｃ（又は２２Ｃ）に移動することができて、安眠状態を確保することができる。
【００６６】
さらに、図１９に示すように、夫婦二人が横向きに寝る場合であっても、連結部１２Ａ（又は２２Ａ）、１２Ｃ（又は２２Ｃ）に、それぞれの耳部分を対向させて伏せれば、耳部分を圧迫することはない。しかも、枕部材５（又は袋部２１）は、仕切り布８（又は３４）によって、袋部１１の膨らみを長期間にわたって確保することができることから、いつでも快適な睡眠状態を作ることができる。
【００６７】
また、図２０〜２１に示すように、枕１０の両端部に紐２６を装着すれば、枕１０（又は２０）を人の頭部分を覆うように被り、両端を紐２６で結ぶことによって、防災用頭巾２７として使用することができる。
【００６８】
なお、上記の実施形態では袋部１１（又は２１）を４個に形成しているが、勿論この数に限定するものではなく、３個であっても、５個以上であってもよい。さらに、線状ファスナ部３（又は２３）は、１本のエレメント３ａ（又は２３ａ）で全ての袋部１１（又は２１）を連通するものではなく、それぞれの袋部１１（又は２１）にそれぞれエレメント３ａ（又は２３ａ）とスライダ部３ｂ（又は２３ｂ）を設けてもよい。
【符号の説明】
【００６９】
１、前側生地部
１０１、袋部形成生地部
１０２、連結部形成生地部
２、後側生地部
２０１、袋部形成生地部
２０２、連結部形成生地部
３、線状ファスナ部（チャック部）
５、枕部材
６、表側生地部
６ａ、第１の縫合部位
７、裏側生地部
７ａ、第１の縫合部位
８、仕切り布
８ａ、第２の縫合部位
９、線状ファスナ部（チャック部）
１０、枕
１１、袋部
１２、連結部
Ｐ、充填材
Ｌ１、Ｓ１、前側（表側）又は（後側（裏側）の横幅長さ
Ｌ２、Ｓ２、仕切り布の横幅長さ
【図１】
0003168830.tif 000003
【図２】
0003168830.tif 000004
【図３】
0003168830.tif 000005
【図４】
0003168830.tif 000006
【図５】
0003168830.tif 000007
【図６】
0003168830.tif 000008
【図７】
0003168830.tif 000009
【図８】
0003168830.tif 000010
【図９】
0003168830.tif 000011
【図１０】
0003168830.tif 000012
【図１１】
0003168830.tif 000013
【図１２】
0003168830.tif 000014
【図１３】
0003168830.tif 000015
【図１４】
0003168830.tif 000016
【図１５】
0003168830.tif 000017
【図１６】
0003168830.tif 000018
【図１７】
0003168830.tif 000019
【図１８】
0003168830.tif 000020
【図１９】
0003168830.tif 000021
【図２０】
0003168830.tif 000022
【図２１】
0003168830.tif 000023